【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
量子化された電流値に基づく電流により駆動され、該電流値に応じた光量のレーザを出力する光源を備え、前記光源から出力されるレーザにより像担持体を走査する画像形成装置であって、
前記光源から出力されるレーザの光量を検出する検出手段と、
前記レーザの光量が予め定められた光量となるように、前記検出手段の検出結果に基づいて前記光源に出力する電流の電流値を決定する決定手段と、
前記決定手段により決定された電流値を電圧値に変換する変換手段と、
前記変換手段により変換された前記電圧値に対応する電流値を、前記光源に出力する電流の電流値を量子化する際の最大値として設定して、前記最大値以下の値で量子化された電流値に基づいて前記光源に出力する電流を制御する制御手段と
を備えることを特徴とする画像形成装置。
【請求項２】
前記制御手段は、
像担持体に対して同じ光量でレーザを照射した場合の１主走査区間における各照射位置の光量のばらつきを補正するための補正データに応じて、レーザの光量が可変となるように、前記光源へ出力する電流を制御することを特徴とする請求項１に記載の画像形成装置。
【請求項３】
前記像担持体の表面を複数の領域に分割し、各領域において前記光源から照射されるレーザの光量を測定する測定手段と、
前記測定手段による測定結果に基づいて、前記測定手段により測定された各領域の光量のうちの最小値を基準として前記補正データを算出する算出手段と
を更に備えることを特徴とする請求項２に記載の画像形成装置。
【請求項４】
前記算出手段は、
前記測定手段により測定された各領域の光量を、前記測定手段により測定された全ての領域の光量における最小値で減算し、減算結果を該最小値で除算することにより、前記補正データを算出することを特徴とする請求項３に記載の画像形成装置。
【請求項５】
前記算出手段により算出された前記補正データを記憶する記憶手段を更に備え、
前記制御手段は、
前記記憶手段に記憶された前記補正データを参照して、前記光源へ出力する電流を制御することを特徴とする請求項３又は４に記載の画像形成装置。
【請求項６】
量子化された電流値に基づく電流により駆動され、該電流値に応じた光量のレーザを出力する光源を備え、前記光源から出力されるレーザにより走査対象を走査する光学走査装置であって、
前記光源から出力されるレーザの光量を検出する検出手段と、
前記レーザの光量が予め定められた光量となるように、前記検出手段の検出結果に基づいて前記光源に出力する電流の電流値を決定する決定手段と、
前記決定手段により決定された電流値を電圧値に変換する変換手段と、
前記変換手段により変換された前記電圧値に対応する電流値を、前記光源に出力する電流の電流値を量子化する際の最大値として設定して、前記最大値以下の値で量子化された電流値に基づいて前記光源に出力する電流を制御する制御手段と
を備えることを特徴とする光学走査装置。
【請求項７】
量子化された電流値に基づく電流により駆動され、該電流値に応じた光量のレーザを出力する光源を備え、前記光源から出力されるレーザにより像担持体を走査する画像形成装置の制御方法であって、
前記光源から出力されるレーザの光量を検出する検出ステップと、
前記レーザの光量が予め定められた光量となるように、前記検出ステップの検出結果に基づいて前記光源に出力する電流の電流値を決定する決定ステップと、
前記決定ステップにより決定された電流値を電圧値に変換する変換ステップと、
前記変換ステップにより変換された前記電圧値に対応する電流値を、前記光源に出力する電流の電流値を量子化する際の最大値として設定して、前記最大値以下の値で量子化された電流値に基づいて前記光源に出力する電流を制御する制御ステップと
を実行することを特徴とする画像形成装置の制御方法。
【請求項８】
量子化された電流値に基づく電流により駆動され、該電流値に応じた光量のレーザを出力する光源を備え、前記光源から出力されるレーザにより走査対象を走査する光学走査装置の制御方法であって、
前記光源から出力されるレーザの光量を検出する検出ステップと、
前記レーザの光量が予め定められた光量となるように、前記検出ステップの検出結果に基づいて前記光源に出力する電流の電流値を決定する決定ステップと、
前記決定ステップにより決定された電流値を電圧値に変換する変換ステップと、
前記変換ステップにより変換された前記電圧値に対応する電流値を、前記光源に出力する電流の電流値を量子化する際の最大値として設定して、前記最大値以下の値で量子化された電流値に基づいて前記光源に出力する電流を制御する制御ステップと
を実行することを特徴とする光学走査装置の制御方法。
【手続補正２】
【補正対象書類名】明細書
【補正対象項目名】００１２
【補正方法】変更
【補正の内容】
【００１２】
本発明は、例えば、画像形成装置として実現できる。画像形成装置は、量子化された電流値に基づく電流により駆動され、電流値に応じた光量のレーザを出力する光源を備え、光源から出力されるレーザにより像担持体を走査する画像形成装置であって、光源から出力されるレーザの光量を検出する検出手段と、レーザの光量が予め定められた光量となるように、検出手段の検出結果に基づいて光源に出力する電流の電流値を決定する決定手段と、決定手段により決定された電流値を電圧値に変換する変換手段と、変換手段により変換された電圧値に対応する電流値を、光源に出力する電流の電流値を量子化する際の最大値として設定して、最大値以下の値で量子化された電流値に基づいて光源に出力する電流を制御する制御手段とを備えることを特徴とする。
【手続補正３】
【補正対象書類名】明細書
【補正対象項目名】００１３
【補正方法】変更
【補正の内容】
【００１３】
本発明は、例えば、光学走査装置として実現できる。光学走査装置は、量子化された電流値に基づく電流により駆動され、電流値に応じた光量のレーザを出力する光源を備え、光源から出力されるレーザにより走査対象を走査する光学走査装置であって、光源から出力されるレーザの光量を検出する検出手段と、レーザの光量が予め定められた光量となるように、検出手段の検出結果に基づいて光源に出力する電流の電流値を決定する決定手段と、決定手段により決定された電流値を電圧値に変換する変換手段と、変換手段により変換された電圧値に対応する電流値を、光源に出力する電流の電流値を量子化する際の最大値として設定して、最大値以下の値で量子化された電流値に基づいて光源に出力する電流を制御する制御手段とを備えることを特徴とする。
【手続補正４】
【補正対象書類名】明細書
【補正対象項目名】００１４
【補正方法】変更
【補正の内容】
【００１４】
本発明は、例えば、画像形成装置の制御方法として実現できる。制御方法は、量子化された電流値に基づく電流により駆動され、電流値に応じた光量のレーザを出力する光源を備え、光源から出力されるレーザにより像担持体を走査する画像形成装置の制御方法であって、光源から出力されるレーザの光量を検出する検出ステップと、レーザの光量が予め定められた光量となるように、検出ステップの検出結果に基づいて光源に出力する電流の電流値を決定する決定ステップと、決定ステップにより決定された電流値を電圧値に変換する変換ステップと、変換ステップにより変換された電圧値に対応する電流値を、光源に出力する電流の電流値を量子化する際の最大値として設定して、最大値以下の値で量子化された電流値に基づいて光源に出力する電流を制御する制御ステップとを実行することを特徴とする。
【手続補正５】
【補正対象書類名】明細書
【補正対象項目名】００１５
【補正方法】変更
【補正の内容】
【００１５】
本発明は、例えば、光学走査装置の制御方法として実現できる。制御方法は、量子化された電流値に基づく電流により駆動され、電流値に応じた光量のレーザを出力する光源を備え、光源から出力されるレーザにより走査対象を走査する光学走査装置の制御方法であって、光源から出力されるレーザの光量を検出する検出ステップと、レーザの光量が予め定められた光量となるように、検出ステップの検出結果に基づいて光源に出力する電流の電流値を決定する決定ステップと、決定ステップにより決定された電流値を電圧値に変換する変換ステップと、変換ステップにより変換された電圧値に対応する電流値を、光源に出力する電流の電流値を量子化する際の最大値として設定して、最大値以下の値で量子化された電流値に基づいて光源に出力する電流を制御する制御ステップとを実行することを特徴とする。